(57)【要約】  細長いハンドグリップ構造体（２０）と、ハンドグリップ構造体の端部にカートリッジ支持構造体（３０）とを含む安全レーザ（１０）のハンドル（１４）が提供される。ハンドグリップ構造体は、フレーム（４０）と、第１のグリップパッド（５０）及び第２のグリップパッド（７０）を含む。各々のグリップパッドは、熱可塑性エラストマ系グリップ層（５４、７４）と、非エラストマ系熱可塑性支持層（５２、７２）とを有することができる。第１のグリップパッドは、フレームの開口部（４２）と協働して、フレームと第１のグリップパッドとの間にスナップ嵌め接合部を提供する延長部を有する。第２のグリップパッドは、第１のグリップパッドの延長部と協働して、フレームの開口部からのスナップ嵌めの解除を阻止する延長部（７６）を有する。第１のグリップパッドの延長部は分岐していることができ、第２のグリップパッドの延長部は、分岐内に受け入れられることができる。【選択図】図３Ａ
2010517619.tif 000002
【特許請求の範囲】
【請求項１】
安全レーザのためのハンドルであって、
細長いハンドグリップ構造体と、
前記ハンドグリップ構造体の端部におけるカートリッジ支持構造体と、
を含み、
前記細長いハンドグリップ構造体は、少なくとも１つの開口部をもつフレーム構造体と、第１のグリップパッドと、第２のグリップパッドとを含み、
第１のグリップパッドは、その遠位端部分にスナップ嵌め手段を有する少なくとも１つの延長部を有しており、前記スナップ嵌め手段は、前記フレームの開口部と協働して前記第１のグリップパッドと前記フレームとの間のスナップ嵌めを与えるようにし、
前記第２のグリップパッドは、前記第１のグリップパッドの前記延長部と協働する少なくとも１つの延長部を有して、前記フレームの前記開口部からの前記スナップ嵌め手段の解除を阻止する、
ことを特徴とするハンドル。
【請求項２】
各々の前記グリップパッドは、熱可塑性エラストマ系外側グリップ層と、その下に非エラストマ系の熱可塑性支持層とを含むことを特徴とする請求項１に記載のハンドル。
【請求項３】
前記非エラストマ系の熱可塑性支持層は、ポリプロピレンを含むことを特徴とする請求項２に記載のハンドル。
【請求項４】
前記第１のグリップパッドの前記延長部は分岐しており、前記第２のグリップパッドの前記延長部は少なくとも部分的に前記分岐内に受け入れられることを特徴とする前記請求項のいずれか１項に記載のハンドル。
【請求項５】
前記第１のグリップパッドの前記分岐と前記第２のグリップパッドの前記延長部は、協働して、その間に圧入接合部を与えることを特徴とする請求項４に記載のハンドル。
【請求項６】
前記第１のグリップパッドの前記少なくとも１つの延長部及び前記第２のグリップパッドの前記少なくとも１つの延長部は、協働して、その間に圧入接合部を与えることを特徴とする請求項１から請求項３までにいずれか１項に記載のハンドル。
【発明の詳細な説明】
【技術分野】
【０００１】
本発明は、一般に、湿式髭剃り装置に関し、より具体的には、ハンドグリップパッドを含むレーザハンドルに関する。
（関連出願の相互参照）
本出願は、２００７年２月１日に出願された特許文献１に基づく利益を主張し、その全体が引用によりここに組み入れられる。
【背景技術】
【０００２】
多数の現代の安全レーザは、間にあるカートリッジ支持構造体により、再使用可能なハンドルに選択的に連結されるように適応された使い捨てレーザカートリッジを含む。カートリッジは、尖った刃先が中に配置された少なくとも１つのレーザブレードを有するハウジングを含む。ハンドルには、グリップパッド与えられており、その外面は、エラストマ系、すなわちゴム状材料である。通常の湿式髭剃り動作は、典型的には、髭剃り石けん又はユーザにより採用される他の製剤のためにレーザハンドルを濡らす及び／又は滑りやすくすることがある環境において行われる。エラストマ系材料はこれらの状況において、ユーザに、少なくともより安全なハンドルのグリップ感を与え、ユーザの手違いにより生じることがある傷及び切り傷を防いだり、又は、ユーザが不用意にレーザを落としたりするのを防ぐ助けができる。
【０００３】
エラストマ系グリップパッドをもつ例示的なレーザは、共にＭｅｔｃｌａｆ他に付与された特許文献２及び特許文献３に開示されている。これらの特許は、フレームと、フレームの両側に配置された少なくとも２つのグリップパッドとを含む細長いハンドグリップ構造体を有するレーザハンドルを開示する。各々のグリップパッドは、上にエラストマ系グリップ層が成形された非エラストマ系支持層を有する。各々のグリップパッドの支持層には、フレームと各々のグリップパッドとの間の接合を与えるように、フレームの嵌合する細長いスロットに圧入される幾つかの延長部が与えられている。他の好適な接合方法と比較して、圧入接合物の選択を考慮すると、当業者であれば、典型的な圧入接合部の取り付け特性の保持又は安全性は、クリープモジュラスとして知られる多数の成形された熱可塑性樹脂の特性を含む接合部の幾つかの特徴、及び、延長部とその嵌合スロット又は開口部の片側又は両側との間の大きさ又は干渉における制御された差異の備えに依存することを理解するであろう。クリープモジュラスは、時間依存緩和効果にリンクさせることができ、これは圧入接合部の解除に対する抵抗が、延長した時間期間にわたり少なくなることを生じさせることがある。制御された干渉は、圧入部品の幾分一様な組み立て又は挿入力を与えることができ、少なくとも製造上の理由のためには好ましい。
【０００４】
いわゆるポリプロピレン（ＰＰ）及びポリエチレン（ＨＤＰＥ、ＬＤＰＥ等）の派生物といったオレフィンファミリーの商品熱可塑性樹脂は、何らかの熱可塑性エラストマ（ＴＰＥ）グリップ層に対して安全な化学結合を与える能力、及び、何らかの石けん及び他の髭剃り製剤からの化学攻撃に抵抗する好ましい能力といった、非エラストマ系支持層に望ましい特性を有する。しかし、これらの材料のクリープモジュラスは、一般に、ＡＢＳ、ポリオキシメチレン（ＰＯＭ、一般にアセタールとして知られる）、及び他の周知の材料といったいわゆるエンジニアリングプラスチックのそれより劣る。
【０００５】
当業者により考慮されることができる他の典型的な接合方法は、スナップ嵌め接合を用いることを含む。２つの嵌合する構成部品間の周知のスナップ嵌め接合の１つの種類においては、１つの構成部品に、横方向に延びる突起をもつ延長部が与えられ、これは通常延長部の遠位端部分又はその近くにある。２つの部品の組み立て中、延長部は、第２部品の嵌合する凹部又はボイドにスナップ嵌めされる前に、横方向の突起が第２部品の好適なシェルフの周りを通るときに、好ましくは弾性変形を受ける。変形は、好ましくは主として弾性的なものであるため、スナップ嵌め接合部は、恒久的なものであってもよいし又は一時的なものであってもよく、すなわち分離可能で再取り付け可能とすることができる。２つの部品の組み立てが延長部の変形を必要とするため、一般に、間隙が２つの部品間に与えられて、これらが組み立てにおいて近づくときに、２つの部品の相対運動中に、この変形を受け入れられるようにする。当業者であれば、スナップ嵌め接合部が恒久的なものであると意図されたとしても、適切な大きさ及び方向の力をスナップ嵌め特徴に適用できる場合には、解除できることを理解するであろう。当業者であれば、さらに、レーザが不用意に落とされたときには、レーザ構造体及びその構成部品を通して、大きさ、方向、及び移転の一般に予測できない衝撃力が発生することを理解するであろう。
【先行技術文献】
【特許文献】
【０００６】
【特許文献１】米国仮特許出願連続番号６０／８９９，１８５号
【特許文献２】米国特許番号第５，８２２，８６９号
【特許文献３】米国特許番号第５，８９０，２９６号
【発明の概要】
【発明が解決しようとする課題】
【０００７】
本発明は、ハンドルのフレームとグリップパッドとの間の接合を改善することにより与えられる製造利点を有する安全レーザのハンドルを提供することにより、従来技術の制限をなくすか又は少なくとも実質的に緩和する目的を有する。
【課題を解決するための手段】
【０００８】
本発明の安全レーザのハンドルの実施形態は、細長いハンドグリップ構造体と、ハンドグリップ構造体の端部におけるカートリッジ支持構造体とを含む。細長いハンドグリップ構造体は、少なくとも１つの開口部と、第１のグリップパッドと、第２のグリップパッドとを含む。各々のグリップパッドは、ポリプロピレンであることが好ましい非エラストマ系熱可塑性支持層の上に形成された熱可塑性エラストマ系外側グリップ層を含むことが好ましいとすることができる。第１のグリップパッドの支持層は、その遠位端にスナップ嵌め突起を有し、フレームの開口部と協働して、フレームと第１のグリップパッドとの間のスナップ嵌め接合部を提供する延長部を有する。第２のグリップパッドは、第１のグリップパッドの延長部と協働して、フレームの開口部からのスナップ嵌めの解除を阻止する延長部を有する。本発明の実施形態は、分岐する延長部を有する第１のグリップパッドを含み、第２のグリップパッドの延長部は、分岐内に部分的に受け入れられる。
【０００９】
本発明の上述の特徴及び利点は、添付図面と併せたときに、以下の詳細な説明を参照すると、より十分に理解されるであろう。
【図面の簡単な説明】
【００１０】
【図１】本発明の安全レーザの実施形態の正面図である。
【図２】図１の側面図である。
【図３Ａ】図１の線３−３に沿ってみた断面図である。
【図３Ｂ】図１の線３−３に沿ってみたさらに別の実施形態の断面図である。
【図３Ｃ】図１の線３−３に沿ってみたさらに別の実施形態の断面図である。
【図３Ｄ】図１の線３−３に沿ってみたさらに別の実施形態の断面図である。
【発明を実施するための形態】
【００１１】
ここで図面、特に図１ないし図２を参照すると、ハンドル１４に連結されたレーザカートリッジ１２を含む安全レーザ１０が示されている。ハンドルは、細長いハンドグリップ構造体２０と、カートリッジ支持構造体３０とを含む。カートリッジ支持構造体は、レーザカートリッジに対する連結を与えて、ユーザが、適切であるとしたときに、選択的にレーザカートリッジを交換できるようにすることが好ましい。カートリッジは、支持構造体にピボット運動可能に連結されて、使用中、ピボット軸の周りでピボット運動できるようなものであることが好ましい。ピボット運動可能な連結を有するものを含む特定のカートリッジ支持構造体は、当業者に周知であり、本発明は、この点に限定されるものではない。細長いハンドグリップ構造体は、フレーム４０と、第１のグリップパッド５０と、第２ノグリップパッド７０とを含む。フレームは、当該技術分野によく知られるように、好適な金属めっき又は塗装表面を有するダイキャスト亜鉛合金から製造されることが好ましい。フレームは、また、１つ又はそれ以上の射出成形構成部品から、ＡＢＳ又はポリアミドといった好適な熱可塑性樹脂から製造されてもよく、本発明は、フレームの材料又は製造に関して制限するものではない。各々のグリップパッド５０、７０は、好ましくは商品熱可塑性樹脂、より好ましくはポリプロピレン、及び最も好ましくはＹＵＨＷＡにより供給される等級指定ＫＰＩＣ  ＨＪ４０４５の射出成形非エラストマ系支持層を含む。各々のグリップパッドは、あらゆる好適な、マルチショット成形又は挿入成形としても知られるマルチカラーといった周知のプロセスにより、支持層にわたり成形された熱可塑性エラストマ系（ＴＰＥ）グリップ層を有することが好ましい。ＴＰＥ材料は、ＡＥＳにより供給される等級指定ＶＹＲＡＭ９２１１−３５Ｗ−９０６が最も好ましい。図１及び図２に示す実施形態においては、グリップパッドは、ハンドグリップ構造体の上部及び底部に配置されて示されるが、これらは、同様に、ハンドグリップ構造体の左側及び右側に配置されてもよい。示される実施形態においては、２つのグリップパッドが示されるが、２つより多いグリップパッドも同様に採用することができる。例えば、第２のグリップパッド７０は、好ましくはフレームに沿って連続的に配置される２つのパッドにより置き換えることができ、本発明はこの点に制限されるものではない。
【００１２】
ここでさらに図３Ａを参照すると、図１の線３−３の位置でみた断面図が示されている。第１のグリップパッド５０は、前述のように、支持層５２とグリップ層５４とを含む。第２のグリップパッド７０もまた、前述のように、支持層７２とグリップ層７４とを含む。フレーム４０は、開口部４２を有する。第１のグリップパッド５０は、図のように分岐していることが好ましい延長部を有し、延長部の遠位端部分の外面に対向する突起を有する。延長部の分岐５６は、開口部６０を与える。延長部の分岐は、延長部の遠位端部分に十分な弾性を与え、突起５８がフレームの開口部４２と協働して、周知のスナップ嵌め接合部を提供し、これにより、フレーム４０と第１のグリップパッドとの間の取り付けが与えられるようにすることが好ましい。第２のグリップパッド７０は、次いで、あらゆる好適な、１つ又はそれ以上のスナップ嵌め接合、圧入接合又は接着接合などによる周知の手段で、フレームに取り付けられる。第２のグリップパッド７０は、第１のグリップパッドの延長部の分岐開口部６０に少なくとも部分的に延びる延長部７６を有する。延長部７６は、第２のグリップパッドの組み立て中に変形する必要がないため、第１のグリップパッドの延長部の遠位端部分より、その遠位端部分の横方向の変形に対して大きい抵抗が与えられることが好ましい。このように、第２のグリップパッド７０は、フレームからの第１のグリップパッドのスナップ嵌め接合部の解除を阻止する。当業者であれば、圧入接合部をさらに第２のグリップパッドの延長部７６と第１のグリップパッドの分岐の開口部６０との間に与えて、フレームに対する各々のグリップパッドの取り付け及び互いに対する取り付けのさらなる安全性を与えることができることを理解するであろう。本開示は、図１の線３−３の位置でみた安全レーザのハンドルの単一の断面図を示すに過ぎないが、当業者であれば、前述の協働する特徴の群を細長いハンドグリップ構造体に沿って延ばして、協働する特徴の単一の群又は多数の群とすることができることを理解するであろう。
【００１３】
ここで図３Ｂないし図３Ｄを参照すると、第１及び第２のグリップパッドの延長部及び協働するフレーム開口部の代替的な配置が、図３Ａと同様な断面図で示されている。図３Ｂにおいては、第１のグリップパッドの延長部８２は、ハンドグリップ構造体の幅にわたり離間されて示される。延長部８２の各々は、延長部の遠位端部分の外面に突起８４を有する。第２のグリップパッド９０の延長部９２は、第１のグリップパッドのそれぞれの延長部と協働して、第１のグリップパッドと、突起８４と協働関係にある開口部１０２を有するフレーム１００との間のスナップ嵌め接合部の解除を阻止する。図３Ｃは、図３Ｂと同様な配置を有するが、図３Ｂの実施形態と比較すると、突起１２４が延長部１２２の遠位端部分の反対側に配置されている。図３Ｄは、この断面図の特定の位置において、中央に配置された延長部１４２の片側にのみ突起１４４を示す。突起は、延長部が細長いハンドグリップ構造体のフレームに沿って延びるときに、（図示のように）延長部の左側と右側との間で換わることができる。
【００１４】
本発明は、その特定の例示的な実施形態に関して説明され図示されたが、本発明は、それらの例示的な実施形態に限定されることを意図するものではない。当業者であれば、特許請求の範囲により定義される本発明の真の範囲から離れることなく、変形及び変更を行うことができることを認識するであろう。
【符号の説明】
【００１５】
１０：安全レーザ
１２：レーザカートリッジ
１４：ハンドル
２０：ハンドグリップ構造体
３０：カートリッジ支持構造体
４０：フレーム
４２：開口部
５０：第１のグリップパッド
５２：支持層
５４：グリップ層
５６：延長部
５８：突起
６０：分岐開口部
７０：第２のグリップパッド
７６：延長部
【図１】
2010517619.tif 000003
【図２】
2010517619.tif 000004
【図３Ａ】
2010517619.tif 000005
【図３Ｂ】
2010517619.tif 000006
【図３Ｃ】
2010517619.tif 000007
【図３Ｄ】
2010517619.tif 000008
【国際調査報告】
2010517619.tif 000009
2010517619.tif 000010